(57)【要約】【課題】硬化しやすい塗液を用いた場合であっても、メンテナンスを容易に行うことができる塗布装置を提供する。【解決手段】塗布装置２は、塗液６を貯めるための第１のタンク１０と、第１のタンク１０に貯められた塗液６を被塗布物４に向けて吐出するためのノズル１４と、第１のタンク１０とノズル１４とを相互に連通する第１の配管１２と、第１の配管１２に配置された第１のバルブ１６とを備える。第１のタンク１０は、ノズル１４よりも上側に配置されている。塗液６は、塗液６の自重により生じる圧力によって、第１のタンク１０から第１の配管１２を通してノズル１４に供給される。【選択図】図２
2018196860.tif 000002
【特許請求の範囲】
【請求項１】
塗液を被塗布物に塗布するための塗布装置であって、
前記塗液を貯めるための第１のタンクと、
前記第１のタンクに貯められた前記塗液を前記被塗布物に向けて吐出するためのノズルと、
前記第１のタンクと前記ノズルとを相互に連通する第１の配管と、
前記第１の配管に配置された第１のバルブと、を備え、
前記第１のタンクは、前記ノズルよりも上側に配置され、
前記塗液は、前記塗液の自重により生じる圧力によって、前記第１のタンクから前記第１の配管を通して前記ノズルに供給される
塗布装置。
【請求項２】
前記第１のバルブは、前記第１の配管を開閉するオンオフバルブである
請求項１に記載の塗布装置。
【請求項３】
前記第１のバルブは、前記第１の配管における前記塗液の流量を制御するコントロールバルブである
請求項１に記載の塗布装置。
【請求項４】
前記塗布装置は、さらに、
前記第１のタンクの内部に配置され、液体を貯めるための第２のタンクと、
前記第１のタンクに貯められた前記塗液の液面の位置が所定の位置まで低下した際に、供給源からの前記液体を前記第２のタンクに供給する供給機構と、を備える
請求項１〜３のいずれか１項に記載の塗布装置。
【請求項５】
前記供給機構は、
前記供給源と前記第２のタンクとを相互に連通する第２の配管と、
前記第２の配管に配置され、前記第２の配管を開閉する第２のバルブと、
前記第１のタンクに貯められた前記塗液の液面の位置を検出する検出部と、
前記検出部により検出された前記塗液の液面の位置が前記所定の位置まで低下した際に、前記第２のバルブを閉位置から開位置に切り替える制御部と、を有する
請求項４に記載の塗布装置。
【請求項６】
前記供給機構は、
前記供給源と前記第２のタンクとを相互に連通する第２の配管と、
前記第２の配管に配置されたポンプと、
前記第１のタンクに貯められた前記塗液の液面の位置を検出する検出部と、
前記検出部により検出された前記塗液の液面の位置が前記所定の位置まで低下した際に、前記ポンプを駆動する制御部と、を有する
請求項４に記載の塗布装置。
【請求項７】
前記液体は水である
請求項４〜６のいずれか１項に記載の塗布装置。
【発明の詳細な説明】
【技術分野】
【０００１】
本発明は、塗液を被塗布物に塗布するための塗布装置に関する。
【背景技術】
【０００２】
塗液を被塗布物に塗布するための塗布装置が知られている（例えば、特許文献１参照）。従来の塗布装置は、塗液を貯めるためのタンクと、塗液を被塗布物に向けて吐出するためのノズルと、タンクとノズルとを相互に連通する配管と、配管に配置されたポンプとを備えている。ポンプが駆動することにより、タンク内の塗液は、ポンプによって吸い上げられて配管を通してノズルに供給される。
【先行技術文献】
【特許文献】
【０００３】
【特許文献１】特開２０１６−８７５７２号公報
【発明の概要】
【発明が解決しようとする課題】
【０００４】
上述した従来の塗布装置では、硬化しやすい塗液（例えば、嫌気性樹脂等）を用いた場合には、ポンプの停止後に、塗液が硬化してポンプの各部分に付着する。一般に、ポンプは複雑な構造を有しているため、硬化した塗液がポンプの各部分に付着した場合には、ポンプの洗浄等のメンテナンスを容易に行うことができないという課題が生じる。
【０００５】
本発明は、このような課題に鑑みてなされたものであり、硬化しやすい塗液を用いた場合であっても、メンテナンスを容易に行うことができる塗布装置を提供することを目的とする。
【課題を解決するための手段】
【０００６】
上記課題を解決するために、本発明の一態様に係る塗布装置は、塗液を被塗布物に塗布するための塗布装置であって、前記塗液を貯めるための第１のタンクと、前記第１のタンクに貯められた前記塗液を前記被塗布物に向けて吐出するためのノズルと、前記第１のタンクと前記ノズルとを相互に連通する第１の配管と、前記第１の配管に配置された第１のバルブと、を備え、前記第１のタンクは、前記ノズルよりも上側に配置され、前記塗液は、前記塗液の自重により生じる圧力によって、前記第１のタンクから前記第１の配管を通して前記ノズルに供給される。
【発明の効果】
【０００７】
本発明の一態様に係る塗布装置によれば、硬化しやすい塗液を用いた場合であっても、メンテナンスを容易に行うことができる。
【図面の簡単な説明】
【０００８】
【図１】第２のバルブが閉位置に保持されている状態における、実施の形態１に係る塗布装置の構成を示す図である。
【図２】第２のバルブが開位置に保持されている状態における、実施の形態１に係る塗布装置の構成を示す図である。
【図３】実施の形態１に係る塗布装置の動作を示すフローチャートである。
【図４】実施の形態２に係る塗布装置の構成を示す図である。
【図５】実施の形態２に係る塗布装置の動作を示すフローチャートである。
【発明を実施するための形態】
【０００９】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、各図は模式図であり、必ずしも厳密に図示されたものではない。なお、各図において、実質的に同一の構成に対しては同一の符号を付しており、重複する説明は省略又は簡略化する。
【００１１】
（実施の形態１）
以下、実施の形態１に係る塗布装置について説明する。
【００１２】
［１−１．塗布装置の構成］
まず、図１及び図２を参照しながら、実施の形態１に係る塗布装置２の構成について説明する。図１は、第２のバルブ３６が閉位置に保持されている状態における、実施の形態１に係る塗布装置２の構成を示す図である。図２は、第２のバルブ３６が開位置に保持されている状態における、実施の形態１に係る塗布装置２の構成を示す図である。
【００１３】
図１及び図２に示すように、塗布装置２は、長尺状の被塗布物４に塗液６を塗布するための装置である。塗布装置２は、バックアップロール８と、第１のタンク１０と、第１の配管１２と、ノズル１４と、第１のバルブ１６とを備えている。
【００１４】
バックアップロール８は、被塗布物４を搬送するための円柱状のローラである。バックアップロール８には、被塗布物４が巻き掛けられている。バックアップロール８がＹ軸方向に延びる回転軸９を中心に所定方向に回転することにより、被塗布物４がバックアップロール８に沿って搬送される。なお、被塗布物４は、例えばＹ軸方向に所定の幅を有する長尺状の不織布である。
【００１５】
第１のタンク１０は、塗液６を貯めるためのタンクである。第１のタンク１０の下端部は、ノズル１４の吐出口２４（後述する）よりも上側（Ｚ軸方向のプラス側）に配置されている。なお、塗液６は、硬化しやすい性質を有する液体、例えば嫌気性樹脂である。嫌気性樹脂は、空気（酸素）を遮断することにより硬化し始め、且つ、金属との接触により硬化速度が上昇する性質を有している。
【００１６】
第１の配管１２は、第１のタンク１０とノズル１４とを相互に連通するための配管である。第１の配管１２は、例えば略Ｌ字状に形成されており、略垂直方向（Ｚ軸方向）に延びる垂直部１８と、略水平方向（Ｘ軸方向）に延びる水平部２０とを有している。垂直部１８の一端部は、第１のタンク１０の下端部に形成された開口部２２に接続されている。垂直部１８の他端部は、水平部２０の一端部に接続されている。
【００１７】
ノズル１４は、塗液６を被塗布物４に向けて吐出するためのノズルである。ノズル１４は、水平部２０の他端部に接続されており、被塗布物４の幅方向（Ｙ軸方向）に沿って長尺状に延びている。ノズル１４の先端部には、塗液６を略水平方向に吐出するための吐出口２４が形成されている。吐出口２４は、バックアップロール８に巻き掛けられた被塗布物４に対向する位置に配置され、ノズル１４の長手方向（Ｙ軸方向）に沿って長尺状に延びている。
【００１８】
第１のバルブ１６は、第１の配管１２を開閉するためのオンオフバルブであり、例えば電磁弁である。第１のバルブ１６は、第１の配管１２の垂直部１８に配置されており、閉位置及び開位置のいずれか一方に保持される。第１のバルブ１６が閉位置に保持されている際には、第１のタンク１０からノズル１４への塗液６の供給が遮断される。第１のバルブ１６が開位置に保持されている際には、第１のタンク１０からノズル１４への塗液６の供給が許容される。
【００１９】
さらに、塗布装置２は、上述した構成要素に加えて、第２のタンク２６と、供給機構２８とを備えている。
【００２０】
第２のタンク２６は、液体３０を貯めるためのタンクである。第２のタンク２６は、第１のタンク１０の内部に配置され、第１のタンク１０に貯められた塗液６に浸漬されている。なお、液体３０は、硬化し難い性質を有する液体、例えば水である。
【００２１】
供給機構２８は、第２のタンク２６に液体３０を供給するための機構である。供給機構２８は、供給源３２と、第２の配管３４と、第２のバルブ３６と、フロートスイッチ３８（検出部の一例）と、制御部４０とを有している。
【００２２】
供給源３２は、液体３０を供給するためのものであり、例えば水道の蛇口である。
【００２３】
第２の配管３４は、供給源３２と第２のタンク２６とを相互に連通するための配管である。第２の配管３４の一端部は、供給源３２に接続されている。第２の配管３４の他端部は、第１のタンク１０の上端部に形成された開口部４２に挿通され、第２のタンク２６の上端部に形成された開口部４４に接続されている。
【００２４】
第２のバルブ３６は、第２の配管３４を開閉するためのオンオフバルブであり、例えば電磁弁である。第２のバルブ３６は、第２の配管３４に配置されており、閉位置及び開位置のいずれか一方に保持される。図１に示すように、第２のバルブ３６が閉位置に保持されている際には、供給源３２から第２のタンク２６への液体３０の供給が遮断される。図２に示すように、第２のバルブ３６が開位置に保持されている際には、供給源３２から第２のタンク２６への液体３０の供給が許容される。
【００２５】
フロートスイッチ３８は、第１のタンク１０に貯められた塗液６の液面の位置を検出するためのセンサである。フロートスイッチ３８は、第１のタンク１０の内部に配置され、第１のタンク１０に貯められた塗液６の液面に浮かべられている。フロートスイッチ３８は、第１のタンク１０に貯められた塗液６の液面の位置が所定の位置Ｐ１まで低下した際に、検出信号を制御部４０に出力する。
【００２６】
制御部４０は、バックアップロール８、第１のバルブ１６及び第２のバルブ３６を制御するためのコントローラである。制御部４０は、フロートスイッチ３８からの検出信号に基づいて、第２のバルブ３６を閉位置から開位置に切り替える。すなわち、第２のバルブ３６、フロートスイッチ３８及び制御部４０によりフィードバック回路が構成される。なお、本実施の形態では、制御部４０は、バックアップロール８、第１のバルブ１６及び第２のバルブ３６を制御するように構成したが、第２のバルブ３６のみを制御するように構成してもよい。
【００２７】
［１−２．塗布装置の動作］
次に、図１〜図３を参照しながら、実施の形態１に係る塗布装置２の動作について説明する。図３は、実施の形態１に係る塗布装置２の動作を示すフローチャートである。
【００２８】
被塗布物４への塗液６の塗布を開始する前の状態では、バックアップロール８の回転は停止しており、第１のバルブ１６及び第２のバルブ３６の各々は閉位置に保持されている。図１に示すように、第１のタンク１０には液体６が貯められており、塗液６の液面の位置は、所定の位置Ｐ１よりも上側に位置している。
【００２９】
図３に示すように、被塗布物４への塗液６の塗布を開始した際には、制御部４０は、バックアップロール８の回転を開始し（Ｓ１１）、第１のバルブ１６を閉位置から開位置に切り替える（Ｓ２）。これにより、図１に示すように、被塗布物４がバックアップロール８に沿って搬送される。また、第１のタンク１０に貯められた塗液６が第１の配管１２を通してノズル１４に供給され、ノズル１４の吐出口２４から吐出した塗液６が被塗布物４に塗布される。なお、ノズル１４の吐出口２４から塗液６が吐出する吐出速度は、ａ）第１のタンク１０内の塗液６の質量と、ｂ）第１の配管１２の垂直部１８内の塗液６の質量との合計質量に比例する。
【００３０】
このとき、第１のタンク１０の下端部は、ノズル１４の吐出口２４よりも上側に配置されている。これにより、塗液６は、第１のタンク１０内の塗液６の自重及び第１の配管１２の垂直部１８内の塗液６の自重により生じる圧力によって、第１のタンク１０から第１の配管１２を通してノズル１４に供給される。すなわち、背景技術の欄で説明したポンプを用いなくても、塗液６の自重を利用して、第１のタンク１０に貯められた塗液６をノズル１４に供給することができる。
【００３１】
第１のタンク１０に貯められた塗液６がノズル１４に供給されるのに従って、第１のタンク１０に貯められた塗液６の質量が減少し、第１のタンク１０に貯められた塗液６の液面の位置が低下する。第１のタンク１０に貯められた塗液６の液面の位置が所定の位置Ｐ１まで低下していない際には、フロートスイッチ３８は検出信号を制御部４０に出力しないため（Ｓ１３でＮＯ）、第２のバルブ３６は閉位置に保持される。
【００３２】
図２に示すように、第１のタンク１０に貯められた塗液６の液面の位置が所定の位置Ｐ１まで低下した際には、フロートスイッチ３８は、検出信号を制御部４０に出力する（Ｓ１３でＹＥＳ）。制御部４０は、フロートスイッチ３８からの検出信号に基づいて、第２のバルブ３６を閉位置から開位置に切り替える（Ｓ１４）。これにより、供給源３２からの液体３０が第２の配管３４を通して第２のタンク２６に供給され、第２のタンク２６に液体３０が貯められる。被塗布物４への塗液６の塗布を終了するまでの間（Ｓ１５でＮＯ）、第１のバルブ１６及び第２のバルブ３６の各々は開位置に保持される。
【００３３】
上述したように、塗液６の吐出速度は、ａ）第１のタンク１０内の塗液６の質量と、ｂ）第１の配管１２の垂直部１８内の塗液６の質量との合計質量に比例する。そのため、第１のタンク１０内の塗液６の質量が減少するのに従って、塗液６の吐出速度が低下する。そこで、第２のタンク２６に液体３０を貯めることにより、塗液６の吐出速度は、ａ）第１のタンク１０内の塗液６の質量と、ｂ）第１の配管１２の垂直部１８内の塗液６の質量と、ｃ）第２のタンク２６内の液体３０の質量との合計質量に比例するようになる。
【００３４】
すなわち、第１のタンク１０内の塗液６の質量が減少した場合であっても、第２のタンク２６内の液体３０の質量が増加することにより、塗液６の吐出速度が低下するのを抑制することができる。なお、第１のタンク１０内の塗液６の質量の減少量だけ、第２のタンク２６に液体３０を供給することにより、塗液６の吐出速度をほぼ一定に保つようにしてもよい。
【００３５】
被塗布物４への塗液６の塗布を終了する際には（Ｓ１５でＹＥＳ）、制御部４０は、バックアップロール８の回転を停止し（Ｓ１６）、第１のバルブ１６及び第２のバルブ３６の各々を開位置から閉位置に切り替える（Ｓ１７）。これにより、第１のタンク１０からノズル１４への塗液６の供給が停止し、且つ、供給源３２から第２のタンク２６への液体３０の供給が停止する。
【００３６】
［１−３．効果］
本実施の形態の塗布装置２は、塗液６を被塗布物４に塗布するための塗布装置である。塗布装置２は、塗液６を貯めるための第１のタンク１０と、第１のタンク１０に貯められた塗液６を被塗布物４に向けて吐出するためのノズル１４と、第１のタンク１０とノズル１４とを相互に連通する第１の配管１２と、第１の配管１２に配置された第１のバルブ１６とを備える。第１のタンク１０は、ノズル１４よりも上側に配置されている。塗液６は、塗液６の自重により生じる圧力によって、第１のタンク１０から第１の配管１２を通してノズル１４に供給される。
【００３７】
これによれば、背景技術の欄で説明したポンプを用いなくても、塗液６の自重を利用して、第１のタンク１０に貯められた塗液６をノズル１４に供給することができる。その結果、硬化しやすい塗液６を用いた場合であっても、ポンプの洗浄等のメンテナンスが不要となるので、塗布装置２の洗浄等のメンテナンスを容易に行うことができる。
【００３８】
さらに、第１のバルブ１６は、第１の配管１２を開閉するオンオフバルブである。
【００３９】
これによれば、第１のバルブ１６の構造をシンプルにすることができ、塗布装置２の洗浄等のメンテナンスを容易に行うことができる。
【００４０】
さらに、塗布装置２は、第１のタンク１０の内部に配置され、液体３０を貯めるための第２のタンク２６と、第１のタンク１０に貯められた塗液６の液面の位置が所定の位置Ｐ１まで低下した際に、供給源３２からの液体３０を第２のタンク２６に供給する供給機構２８とを備える。
【００４１】
これによれば、第１のタンク１０内の塗液６の質量が減少した際に、第２のタンク２６に液体３０を貯めることにより、塗液６の吐出速度が低下するのを抑制することができる。
【００４２】
さらに、供給機構２８は、供給源３２と第２のタンク２６とを相互に連通する第２の配管３４と、第２の配管３４に配置され、第２の配管３４を開閉する第２のバルブ３６と、第１のタンク１０に貯められた塗液６の液面の位置を検出するフロートスイッチ３８と、フロートスイッチ３８により検出された塗液６の液面の位置が所定の位置Ｐ１まで低下した際に、第２のバルブ３６を閉位置から開位置に切り替える制御部４０とを有する。
【００４３】
これによれば、簡単な構成で、供給源３２からの液体３０を第２のタンク２６に供給することができる。
【００４４】
さらに、液体３０は水である。
【００４５】
これによれば、液体３０は水であるので、供給機構２８の洗浄等のメンテナンスを容易に行うことができる。
【００４６】
（実施の形態２）
以下、実施の形態２に係る塗布装置について説明する。
【００４７】
［２−１．塗布装置の構成］
まず、図４を参照しながら、実施の形態２に係る塗布装置２Ａの構成について説明する。図４は、実施の形態２に係る塗布装置２Ａの構成を示す図である。なお、本実施の形態では、上記実施の形態１と同一の構成要素には同一の符号を付して、その説明を省略する。
【００４８】
図４に示すように、本実施の形態の塗布装置２Ａでは、第１のバルブ１６Ａ及び供給機構２８Ａの各構成が上記実施の形態１と異なっている。
【００４９】
第１のバルブ１６Ａは、第１の配管１２における塗液６の流量を制御するためのコントロールバルブである。第１のバルブ１６Ａは、開位置及び閉位置だけでなく、開位置と閉位置との間の中間位置にも保持される。第１のバルブ１６Ａの開度を調節することにより、第１の配管１２における塗液６の流量を調節することができる。
【００５０】
供給機構２８Ａは、上記実施の形態１で説明した第２のバルブ３６に代えて、ポンプ４６を有している。ポンプ４６は、供給源３２からの液体３０を第２のタンク２６に供給するための電動ポンプである。ポンプ４６は、第２の配管３４に配置されている。
【００５１】
制御部４０Ａは、バックアップロール８、第１のバルブ１６Ａ及びポンプ４６を制御する。制御部４０Ａは、フロートスイッチ３８からの検出信号に基づいて、ポンプ４６を駆動する。また、制御部４０Ａは、例えば塗液６の塗布条件等に応じて、第１のバルブ１６Ａの開度を適宜調節する。なお、本実施の形態では、制御部４０Ａは、バックアップロール８、第１のバルブ１６Ａ及びポンプ４６を制御するように構成したが、ポンプ４６のみを制御するように構成してもよい。
【００５２】
［２−２．塗布装置の動作］
次に、図４及び図５を参照しながら、実施の形態２に係る塗布装置２Ａの動作について説明する。図５は、実施の形態２に係る塗布装置２Ａの動作を示すフローチャートである。
【００５３】
被塗布物４への塗液６の塗布を開始する前の状態では、バックアップロール８の回転は停止しており、第１のバルブ１６Ａは閉位置に保持されている。また、ポンプ４６は停止しており、第２のタンク２６には液体３０は貯められていない。
【００５４】
図５に示すように、まず、上記実施の形態１で説明した図３のステップＳ１１〜Ｓ１３と同様に、ステップＳ３１〜Ｓ３３が実行される。
【００５５】
図４に示すように、第１のタンク１０に貯められた塗液６の液面の位置が所定の位置Ｐ１まで低下した際には、フロートスイッチ３８は、検出信号を制御部４０Ａに出力する（Ｓ３３でＹＥＳ）。制御部４０Ａは、フロートスイッチ３８からの検出信号に基づいて、ポンプ４６を駆動する（Ｓ３４）。これにより、供給源３２からの液体３０は、ポンプ４６の圧力によって第２の配管３４を通して第２のタンク２６に供給され、第２のタンク２６に液体３０が貯められる。被塗布物４への塗液６の塗布を終了するまでの間（Ｓ３５でＮＯ）、第１のバルブ１６Ａは開位置に保持され、ポンプ４６は継続して駆動される。
【００５６】
被塗布物４への塗液６の塗布を終了する際には（Ｓ３５でＹＥＳ）、制御部４０Ａは、バックアップロール８の回転を停止し（Ｓ３６）、第１のバルブ１６Ａを開位置から閉位置に切り替え、ポンプ４６を停止する（Ｓ３７）。これにより、第１のタンク１０からノズル１４への塗液６の供給が停止し、且つ、供給源３２から第２のタンク２６への液体３０の供給が停止する。
【００５７】
［２−３．効果］
本実施の形態の塗布装置２Ａは、第１のバルブ１６Ａは、第１の配管１２における塗液６の流量を制御するコントロールバルブである。
【００５８】
これによれば、第１のバルブ１６Ａにより第１の配管１２における塗液６の流量を調節することにより、ノズル１４からの塗液６の吐出量を調節することができる。
【００５９】
さらに、供給機構２８Ａは、供給源３２と第２のタンク２６とを相互に連通する第２の配管３４と、第２の配管３４に配置されたポンプ４６と、第１のタンク１０に貯められた塗液６の液面の位置を検出するフロートスイッチ３８と、フロートスイッチ３８により検出された塗液６の液面の位置が所定の位置Ｐ１まで低下した際に、ポンプ４６を駆動する制御部４０とを有する。
【００６０】
これによれば、簡単な構成で、供給源３２からの液体３０を第２のタンク２６に供給することができる。
【００６１】
さらに、液体３０は水である。
【００６２】
これによれば、ポンプ４６を流れる液体３０は水であるので、供給機構２８Ａの洗浄等のメンテナンスを容易に行うことができる。
【００６３】
（変形例等）
以上、本発明について実施の形態１及び２に基づいて説明したが、本発明は、上記各実施の形態に限定されるものではない。
【００６４】
上記各実施の形態では、被塗布物４を長尺状の不織布で構成したが、これに限定されず、例えば樹脂フィルム又は金属箔等で構成してもよい。
【００６５】
上記各実施の形態では、第１の配管１２を略Ｌ字状に形成したが、これに限定されず、例えば略Ｕ字状等、任意の形状に形成してもよい。
【００６６】
上記各実施の形態では、第１のバルブ１６（１６Ａ）を制御部４０（４０Ａ）により制御したが、これに限定されず、第１のバルブ１６（１６Ａ）を開位置及び閉位置の一方から他方に手動で切り替えてもよい。
【００６７】
上記各実施の形態では、検出部をフロートスイッチ３８で構成したが、これに限定されず、各種センサで構成してもよい。
【００６８】
その他、上記実施の形態等に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００６９】
２，２Ａ  塗布装置
４  被塗布物
６  塗液
１０  第１のタンク
１２  第１の配管
１４  ノズル
１６，１６Ａ  第１のバルブ
２６  第２のタンク
２８，２８Ａ  供給機構
３０  液体
３４  第２の配管
３６  第２のバルブ
３８  フロートスイッチ（検出部）
４０，４０Ａ  制御部
４６  ポンプ
【図１】
2018196860.tif 000003
【図２】
2018196860.tif 000004
【図３】
2018196860.tif 000005
【図４】
2018196860.tif 000006
【図５】
2018196860.tif 000007